(57)【要約】【課題】山登り・階段などの急坂にも適し、夜道・暗がりを照らすことができる等の複数の機能を備えた複合杖を提供すること。【解決手段】部分柄からなるシャフトの上端に、一方の側に突出する横握りと、その下部に手のひらがフィットし片手で把持するに相応しい十分な大きさを持つ縦握りからなる把手を取り付ける。横握りと反対側に発光体を起倒自在に枢着し、シャフトにゴムグリップを固着する。【選択図】図１
0003140011.tif 000002
【実用新案登録請求の範囲】
【請求項１】
複数の部分柄からなるシャフトの上端に、一方の側に突出する横握りと、その下部に手のひらがフィットし片手で把持するに相応しい十分な大きさを持つ縦握りからなる把手を取り付け、横握りと反対側に発光体を起倒自在に枢着し、而してシャフトの上部にゴムグリップを固着することを特徴とする複合杖。
【請求項２】
発光体が保持部とライト部で構成され、保持部が把手の枢軸を支点に回動して垂直・斜め・水平方向に位置決めでき、保持部とライト部が螺合着することを特徴とする請求項１記載の複合杖。
【請求項３】
横握りの端部に後方ライトを取り付けることを特徴とする請求項１又は２記載の複合杖。
【考案の詳細な説明】
【技術分野】
【０００１】  本考案は、複数の機能を持つ複合杖に関する。
【背景技術】
【０００２】  通常の杖はシャフトの上端に波形・Ｔ字形等の握りが設けられていてその握りを把持して歩行するもので、坂道の上り下りをするときもほゞ同じ握り方をするのを常としている。しかしながら山道のような急坂では、登るときに杖の握り部分が歩行時よりも高位置となるので通常の握り方では支障を生じることになる。そこで周知のように握り下部のシャフトにもストックの握りと同じようにグリップを一体的に設けたり、垂直、水平のいずれにも角度調節できる杖（例えば特許文献１参照）なども創案されている。また夜道を照らすことで歩行の安全を確保する照明付きの杖（例えば特許文献２及び３参照）や、携帯に便利なように長さを変えられる杖（例えば特許文献４参照）なども提案されていてそれなりの所期する機能を発揮している。
【特許文献１】特開平６−８６７９４号公報
【特許文献２】特開２００３−１０２５２６号公報
【特許文献３】特開平１１−３３２６２２号公報
【特許文献４】登録実用新案第３０５１６７２号公報
【考案の開示】
【考案が解決しようとする課題】
【０００３】  特許文献１に記載の杖は、身体障害者の使用に適するようにシャフト上端の握りを垂直水平いずれにも角度設定ができて平坦な地面や階段の上り下りにも対応できる構成としたことを主旨とするものである。この技術では坂道・階段などの傾斜面に遭遇した場合に握りをその都度回動して角度変更しなければならず、かえって煩雑な手間がかゝるという懸念がある。また操作を誤ると躓きの原因になるおそれがあり不慣れの場合には事故発生のおそれなしとしない。【０００４】  特許文献２及び３に記載の杖は、杖にライトを取り付けて、別途懐中電灯を持たないでも足元を照らすことができるというものである。いずれも握り部分に前方を照らすライトを組み込んでいるが、この杖は単にライトを設けたというもので、前方を照らすことはできても構造は通常の杖と何ら変わることがなく、他に有用となる機能は有していない。【０００５】  特許文献４に記載の杖は、長さを簡便に変えられる伸縮式杖に関するものであり、多段式としたことでコンパクトにすることができる機能を有しているが、杖を多段式にしたものは従来周知であり、また多段式としたのみでその他の利便策は施されていない。【０００６】  本考案はこのような従来技術とは異なり通常の歩行は勿論、山道など急坂の上り下りや雪道などにも適し、利用者の身長の高低にも対応でき、携帯に便利で夜道の歩行や高所を照らすにも具合のよい、多くの機能を有する複合杖を提供しようとするものである。
【課題を解决するための手段】
【０００７】  すなわち本考案は、複数の部分柄からなるシャフトの上端に、一方の側に突出する横握りと、その下部に手のひらがフィットし片手で把持するに相応しい十分な大きさを持つ縦握りからなる把手を取り付け、横握りと反対側に発光体を起倒自在に枢着し、而してシャフトの上部にゴムグリップを固着することを主旨としている。
【０００８】  発光体が保持部とライト部で構成され、保持部が把手の枢軸を支点に回動して垂直・斜め・水平方向に位置決めでき、保持部とライト部が螺合着することを特徴としている。
【０００９】  横握りの端部に後方ライトを取り付けることを特徴とする。
【考案の効果】
【００１０】  本案の把手は横握りと縦握りで構成されているので、平坦な道では通常の杖同様に横握りをつかんで歩行すればよく、山登りのように急坂を上るときには握り具合のよい縦握りをつかんでストックのように使うことができる。つまり握る個所が水平部（横握り）と垂直部（縦握り）の両方存在するため、従来のようにいずれか一方のみの杖と異なり必要に応じていずれかを直ちに握ることができるという一石二鳥的な利便性があり、回動式握りのようにその都度垂直か水平にするといった面倒な操作をする必要もなく、操作を誤るといったおそれもないので誰もが安心して取り扱いできる。
【００１１】  シャフトが複数の部分柄で構成されており、縮小すると通常杖の数分の一の長さとなるのでリュックやバッグにも収納でき、散歩や山登りなど随時随所で取り出して使用でき、嵩張らず携帯にも頗る都合がよく、利用者の背丈に応じた長さともすることができる。
【００１２】  起倒自在となる発光体を点灯すると、夜道を歩行するときや暗い道で足元及び前方を照らすことができて転倒などの未然防止と、歩行中であることを第三者に知らしめることができて衝突などを回避でき、したがってシャフトを縮小して発光体を点灯することで懐中電灯と同様の使用もできる。またシャフトを伸長すると高所の暗部や狭い空間を照らすこともできる。
【００１３】  横握りの端部に後方ライトを取り付けると、夜道などの歩行の際に点灯すれば後方から来る他人や車などに歩行中であることを知らしめることができ、安全が確保される。
【００１４】  上記のように本考案は一本の杖に多数の機能を有しているが、発光体のライト部はＬＥＤなどを組み込むことで安価に得られ、また横握りと縦握りは一体の成型品とすることができて量産に好適し、部分柄同士も既存の組み合わせ構造とすることで容易に得られるなど、その効果は多岐にわたる有益考案といえる。
【考案を実施するための最良の形態】
【００１５】  以下本考案の実施形態を図面を参照して説明すると、図１は本考案全体の概略を示すもので、１０は上部の部分柄１１、中間の部分柄１２、下部の部分柄１３からなる多段式のシャフトであり、下部の部分柄１３は中間の部分柄１２内に挿入され、中間の部分柄１２は上部の部分柄１１に夫々の一部（上部）が挿入固定され、下部の部分柄１３を押し込むと全体が縮小し、その状態から下部の部分柄１３をつかんで引き出すと全体が図示のように伸長する。【００１６】  ２０は横握り２１と縦握り２２を連接した把手であり、シャフト１０の上端に縦握り２２を嵌着して取り付ける。横握り２１は通常の杖同様に水平形、波形などに形成すればよく、また縦握り２２は把持したときに手のひらが十分に納まるに相応しい大きさを有し、スキーストックのように周縁の一部に手のひらがフィットする凹凸２３と、下端に鍔状の張出２４が形成されている。【００１７】  ３０は横握り２１と反対側に設けた発光体であり、筒状の保持部３０ａにＬＥＤのライト部３０ｂを取り付けている。保持部３０ａは周縁に刻み目を形成し把手２０の基部上面２０ａに沿って起倒自在となるように把手２０に設けた枢軸２５に軸支され、該枢軸２５を支点に水平・斜め・垂直方向のいずれにも回動でき、所定個所にて位置決めできる。【００１８】  ４０はシャフト１０の上部の部分柄１１に固着した滑り止め用のゴムグリップである。中間の部分柄１２と下部の部分柄１３を上部の部分柄１１に押し込んだり引き出す場合、直接上部の部分柄１１をつかむと滑ってうまく操作できない（特に手袋を着用しているときなど）が、ゴムグリップ４０をつかむことによって持ち手が安定し、操作がしやすくなるものである。ゴムグリップ４０の表面には切り込み又は凹凸（不図示）を形成しておくことで滑り止め効果が一層確実となる。なお部分柄１１・１２・１３の係合手段は、伸縮式物干し竿のように下方の部分柄を上方の部分柄に手元をひねりながら操作する機構など従来周知の手法をとるとともに、部分柄相互の係合内部にスプリングを介装してシャフト着地時の衝撃緩和策を設けるが、この点の構造も一般的なものであるため詳細については省略する。そして下部の部分柄１３の下端はスキーストックのように先鋭状とすると山登り時・雪道などに適するが、通常はゴムカバー５０を取り付ける構成とする。【００１９】  本考案は上記のように、シャフト１０を多段式として長さを任意に設定し、上端に横握り２１と縦握り２２からなる把手２０を設けて通常の歩行だけでなく山登りなどの上り下りに最適し、更には横握り２１の反対側に発光体３０が水平、垂直に位置決めできてライト部３０ｂを所望の角度に設定操作できる点などの機能を複合構成した点にあり、一本の杖でありながら、多岐にわたる取り扱いに対応できることを特徴とする。【００２０】  つまり通常の杖として使用するときは図２のように主に横握り２１をつかんで歩行することができ、その場合発光体３０を水平状態とする。このとき保持部３０ａにわずかに人差し指が接触するので、握り具合が安定する。夜道や暗がりを歩行するときはライト部３０ｂを点灯すれば前方を照らすことができ、第三者にも歩行中であることを知らしめることができて安全が確保される。ライト部３０ｂは、保持部３０ａと螺合して取り付けられており、右回すると保持部３０ａに近接して内蔵したスイッチがオンとなって点灯し、左回すると保持部３０ａから離間しスイッチオフとなるので消灯するが、これらのスイッチ機構も周知の手法を採るので回路系については説明を省略する。【００２１】  山登りや急坂を登る際には、図３のようにスキーストックのように縦握り２２をつかんで歩行する。このとき発光体３０は水平状態でも支障はないが、垂直状態とする方が目障りとならずすっきりとして望ましい。そしてこの場合、持ち手とは反対側に横握り２１を位置させれば持ち手側に遮るものがないので安定感が出るが、夜の坂道などを登る際にはライト部３０ｂを点灯する必要があるので、その場合は持ち手を逆として発光体３０を傾斜状又は水平状態とする。【００２２】  図４は本案杖を縮小した状態を示す。図１の伸長状態にあるシャフト１０に固着されているゴムグリップ４０を片手でつかみ、他方の手で中間の部分柄１２をひねりながら上部の部分柄１１に押し込むと中間の部分柄１２は下端部を除き上部の部分柄１１内に没入する。次いで下部の部分柄１３を同じ要領で中間の部分柄１２内に押し込むと下端のゴムカバー５０個所を残して下部の部分柄１３は中間の部分柄１２内に没入し、中間と下部の部分柄１２・１３はほゞ上部の部分柄１１内に挿入するので把手２０の長さを加えても全体が４０数センチの長さに納まる。したがってやゝ大きめのリュックやバッグに収納でき、またライト部３０ｂを点灯すれば夜道の歩行時だけでなく、非常時の懐中電灯代わりとして十分に役立つものである。【００２３】  図５は横握り２１の端部に後方ライト６０を取り付けた他の例を示している。後方ライト６０の点・消灯手段は前述の発光体３０と同じにしても、或いは外部にスイッチを設ける機構としてもよい。このように横握り２１後部に後方ライト６０を取り付けると、点灯したときに後ろから来る人や車に歩行中であることを知らしめることができるので夜道・暗がりを歩いていても事故発生を未然に防止できる。【００２４】  すなわち本考案は、伸縮式のシャフト１０に横握り２１と縦握り２２からなる把手２０を取り付け、横握り２１と反対側に起倒自在の発光体３０、更には後方ライト６０を設けるなどの複合機能を有する杖であり、通常の杖としての使用は勿論、山登り・階段などの上り下りにも妥当し、また高所を照らしたり懐中電灯代わりにもなり、その使用範囲は頗る広範にわたるもので、携帯用、常備用として便利この上ない諸機能を具有する。【００２５】  上記した本考案のシャフト１０、把手２０などの構成部材は可及的軽量な金属、合成樹脂などが好ましいものの素材に限定はされず、シャフト１０の長さ・太さなども一般的杖と大差はなく、その他ゴムグリップ４０、ゴムカバー５０も呼称に限定されず、また本考案の目的効果を奏する範囲内における構成上の変更なども本考案の自由な実施の範疇に属すること勿論である。
【図面の簡単な説明】
【００２６】
【図１】本考案全体の説明図である。
【図２】杖としての通常の握り方を示す説明図である。
【図３】ストックのような握り方を示す説明図である。
【図４】シャフトを縮小した説明図である。
【図５】横握りに後方ライトを取り付けた説明図である。
【符号の説明】
【００２７】１０  シャフト        １１  上部の部分柄        １２  中間の部分柄
１３  下部の部分柄    ２０  把手                ２１  横握り
２２  縦握り          ２５  枢軸                ３０  発光体
３０ａ保持部          ３０ｂライト部            ４０  ゴムグリップ
６０  後方ライト
【図１】
0003140011.tif 000003
【図２】
0003140011.tif 000004
【図３】
0003140011.tif 000005
【図４】
0003140011.tif 000006
【図５】
0003140011.tif 000007